(57)【特許請求の範囲】
【請求項１】
装置本体の背面または側面の開口を覆い、前記装置本体に対し前記開口を開放可能に取り付けられた外装カバーと、
前記外装カバーの上方に設けられたコネクターと、
前記外装カバーの上方の外装を形成するカバー上外装部材と、を備え、
前記カバー上外装部材は、
前記コネクター寄りの第１端から前記外装カバーの左右いずれか一方の側端寄りの第２端に亘って形成された溝部と、
少なくとも前記溝部の前記第１端寄りの位置および前記第２端寄りの位置において、前記溝部の開口の下側縁部から上方へ張り出して形成された複数の張出部と、を有し、
前記溝部は、前記コネクターに接続されたケーブルが挿入される部分であり、
前記複数の張出部は、前記溝部内からの前記ケーブルの脱落を防ぐ部分であり、
前記複数の張出部が前記溝部の長手方向に沿って間隔を空けて形成されており、前記溝部の最も前記第２端寄りに位置する前記張出部の高さが他の前記張出部の高さよりも高く  前記溝部における、最も前記第２端寄りの前記張出部が形成された部分の開口の幅が、他の部分の開口の幅よりも大きい、画像形成装置。
【請求項２】
前記溝部の前記第２端の位置が、前記外装カバーの左右いずれか一方の側端の外側の上方の位置である、請求項１に記載の画像形成装置。
【請求項３】
前記複数の張出部における前記溝部の前記第１端側の縁部が、根本側から先端側にかけて鉛直方向に対して前記溝部の前記第２端側へ傾斜して形成されている、請求項１または請求項２に記載の画像形成装置。
【請求項４】
前記複数の張出部のうち前記溝部の前記第２端寄りの位置に形成された１つにおける前記溝部の最も前記第２端寄りの縁部が、鉛直方向に沿って、または、根本側から先端側にかけて鉛直方向に対して前記溝部の前記第２端側へ傾斜して形成されている、請求項１から請求項３のいずれか１項に記載の画像形成装置。
【請求項５】
前記カバー上外装部材が、
前記溝部の前記第１端に連通し、前記溝部よりも深く窪んで形成された凹部を有し、
前記コネクターが、前記凹部の底に形成された開口内に設けられている、請求項１から請求項４のいずれか１項に記載の画像形成装置。
【請求項６】
前記外装カバーが、シート材の搬送路に通じる前記開口を覆う部材である、請求項１から請求項５のいずれか１項に記載の画像形成装置。
【発明の詳細な説明】
【技術分野】
【０００１】
本発明は、画像形成装置に関する。
【背景技術】
【０００２】
一般に、画像形成装置において、コネクターが、装置本体の背面または側面に設けられることが知られている（例えば、特許文献１参照）。通信ケーブルなどのケーブルは、前記コネクターに接続されると、前記コネクターから下方へ垂れ下がる。
【先行技術文献】
【特許文献】
【０００３】
【特許文献１】特開２００３−２９５５５３号公報
【発明の概要】
【発明が解決しようとする課題】
【０００４】
ところで、前記画像形成装置において、前記コネクターが、前記装置本体の背面または側面の外装カバーの上方に設けられる場合がある。前記外装カバーは、前記装置本体の背面または側面の開口を覆い、前記装置本体に対し外側へ回動可能に支持される。
【０００５】
例えば、前記外装カバーは、画像が形成されるシート材の搬送路に通じる開口を塞ぐ。この場合、前記外装カバーは、ジャム処理などの際に開かれる。
【０００６】
前記コネクターが、前記装置本体における前記外装カバーの上方に設けられている場合、前記コネクターから垂れ下がる前記ケーブルが、前記外装カバーの開閉の邪魔になる。前記ケーブルが前記外装カバーに引っ掛かると、前記コネクターまたは前記ケーブルが損傷するおそれがある。
【０００７】
また、前記ケーブルが引っ掛けられるフックが、前記画像形成装置の外装部材における前記外装カバーの上方に設けられることが考えられる。この場合、前記ケーブルは、前記フックによって前記外装カバーの左右いずれか一方の側方まで案内される。
【０００８】
しかしながら、前記フックは、前記装置本体から外側へ張り出しているため、作業者の邪魔になる。また、前記フックは、作業者または周辺部材との接触によって破損しやすい。
【０００９】
本発明の目的は、コネクターが装置本体の背面または側面における外装カバーの上方に設けられる場合に、破損しにくい構造により、前記コネクターに接続されたケーブルが前記外装カバーに引っ掛かることを防ぐことができる画像形成装置を提供することにある。
【課題を解決するための手段】
【００１０】
本発明の一の局面に係る画像形成装置は、外装カバーと、コネクターと、カバー上外装部材とを備える。前記外装カバーは、装置本体の背面または側面の開口を覆い、前記装置本体に対し前記開口を開放可能に取り付けられた部材である。前記コネクターは、前記外装カバーの上方に設けられている。前記カバー上外装部材は、溝部および張出部を有する。前記溝部は、前記コネクター寄りの第１端から前記外装カバーの左右いずれか一方の側端寄りの第２端に亘って形成されている。前記張出部は、少なくとも前記溝部の前記第１端寄りの位置および前記第２端寄りの位置において、前記溝部の開口の下側縁部から上方へ張り出して形成されている。前記溝部は、前記コネクターに接続されたケーブルが挿入される部分である。前記張出部は、前記溝部内からの前記ケーブルの脱落を防ぐ部分である。
【発明の効果】
【００１１】
本発明によれば、コネクターが装置本体の背面または側面における外装カバーの上方に設けられる場合に、破損しにくい構造により、前記コネクターに接続されたケーブルが前記外装カバーに引っ掛かることを防ぐことができる画像形成装置を提供することが可能になる。
【図面の簡単な説明】
【００１２】
【図１】図１は、実施形態に係る画像形成装置の構成図である。
【図２】図２は、実施形態に係る画像形成装置の斜視図である。
【図３】図３は、ケーブルが接続された画像形成装置の斜視図である。
【図４】図４は、実施形態に係る画像形成装置におけるカバー上外装部材の斜視図である。
【図５】図５は、実施形態に係る画像形成装置におけるカバー上外装部材の正面図である。
【図６】図６は、ケーブルが接続された画像形成装置におけるカバー上外装部材の正面図である。
【発明を実施するための形態】
【００１３】
以下、添付図面を参照しながら、本発明の実施形態について説明する。なお、以下の実施形態は、本発明を具体化した一例であって、本発明の技術的範囲を限定する性格を有さない。
【００１４】
［画像形成装置１０の概略構成］
まず、図１を参照しつつ、実施形態に係る画像形成装置１０の概略構成について説明する。
【００１５】
画像形成装置１０は、シート材９に画像を形成する電子写真方式の画像形成装置である。シート材９は、紙、コート紙、ハガキ、封筒、およびＯＨＰシートなどのシート状の画像形成媒体である。
【００１６】
画像形成装置１０は、装置の本体１、シート供給部２およびスキャナー１ｘを備える。さらに、画像形成装置１０は、本体１内に、シート搬送部３、現像ユニット４、光走査部４０、定着装置４９および制御基板８０などを備える。
【００１７】
スキャナー１ｘは、原稿から画像を読み取り、原稿画像のデータを出力する装置である。画像形成装置１０は、スキャナー１ｘが動作することにより複写ジョブおよびファクシミリ送信ジョブを実行可能である。
【００１８】
前記複写ジョブにおいて、スキャナー１ｘが前記原稿から画像を読み取り、本体１の各機器が、スキャナー１ｘによって得られた前記原稿画像のデータに基づく画像をシート材９に形成する。
【００１９】
前記ファクシミリ送信ジョブにおいて、スキャナー１ｘが前記原稿から画像を読み取り、本体１の制御基板８０に実装された通信インターフェースが、スキャナー１ｘによって得られた前記原稿画像のデータを公衆通信回線を通じて他の装置へ送信する。
【００２０】
また、画像形成装置１０はファクシミリ受信ジョブも実行可能である。前記ファクシミリ受信ジョブにおいて、前記通信インターフェースが、前記公衆通信回線を通じて画像データを受信し、現像ユニット４などの機器が、受信データに基づく画像をシート材９に形成する。
【００２１】
図１に示される画像形成装置１０は、タンデム式画像形成装置であり、カラープリンターである。そのため、画像形成装置１０は、シアン、マゼンタ、イエローおよびブラックの各色に対応した複数の現像ユニット４を備える。
【００２２】
現像ユニット４各々は、感光体４１、帯電装置４２、現像装置４３、一次転写装置４５および一次クリーニング装置４７などを備える。
【００２３】
タンデム式の画像形成装置１０は、中間転写ベルト４８、二次転写装置４８１および二次クリーニング装置４８２をさらに備える。
【００２４】
シート供給部２は、シートカセット２１第１シート送出部２２および第２シート送出部２３を備える。シートカセット２１は、重ねられた複数のシート材９を収容する部分である。第１シート送出部２２は、シート材９をシートカセット２１から第１搬送路３０１へ送り出す。第２シート送出部２３は、後述する手差しトレイ６０に載置されたシート材９を第３搬送路３０３へ送り出す。
【００２５】
シート搬送部３は、搬送ローラー３１および排出ローラー３２を備える。搬送ローラー３１は、シート供給部２から供給されるシート材９を第１搬送路３０１から第２搬送路３０２へ搬送する。また、搬送ローラー３１は、手差しトレイ６０から送り出されたシート材９を第３搬送路３０３から第１搬送路３０１へ搬送する。
【００２６】
排出ローラー３２は、第２搬送路３０２に沿って搬送されるシート材９をシート排出口３００から排出トレイ１００上へ排出する。通常、排出トレイ１００上へ排出されるシート材９は、画像形成後のシート材９であり、印刷物である。
【００２７】
中間転写ベルト４８は、環状に形成された帯状部材である。中間転写ベルト４８は、２つのローラーに架け渡された状態で回転する。
【００２８】
現像ユニット４各々において、ドラム状の感光体４１が回転し、帯電装置４２が感光体４１の表面を一様に帯電させる。光走査部４０は、レーザー光を走査することにより感光体４１の表面に静電潜像を書き込む。現像装置４３は、感光体４１の表面の前記静電潜像をトナーによって現像する。これにより、トナー像が感光体４１の表面に形成される。
【００２９】
一次転写装置４５は、前記トナー像を感光体４１表面から中間転写ベルト４８に転写する。中間転写ベルト４８は、複数の感光体４１各々から前記トナー像が転写される。これにより、各色の前記トナー像が重ねられたカラー画像が中間転写ベルト４８に形成される。一次クリーニング装置４７は、感光体４１表面に残存する前記トナーを除去する。
【００３０】
二次転写装置４８１は、第２搬送路３０２におおいて、中間転写ベルト４８に形成された前記カラー画像をシート材９に転写する。二次クリーニング装置４８２は、中間転写ベルト４８に残存する前記トナーを除去する。
【００３１】
定着装置４９は、第２搬送路３０２におおいて、シート材９を加熱し、前記カラー画像をシート材９に定着させる。
【００３２】
制御基板８０は、画像形成装置１０の制御に関する電子部品が実装された基板である。制御基板８０は、排出トレイ１００と現像ユニット４との間に配置されている。
【００３３】
また、図２が示すように、画像形成装置１０は、電源コネクター９１、ＬＡＮコネクター９２および電話回線コネクター９３なども備える。電源ケーブルが電源コネクター９１に接続され、ＬＡＮケーブルがＬＡＮコネクター９２に接続される。
【００３４】
また、電話ケーブル９９が電話回線コネクター９３に接続される。図１において、電話ケーブル９９が仮想線で示されている。電話ケーブル９９は、前記ファクシミリ通信に用いられる通信ケーブルである。
【００３５】
各図に示される方向矢印Ｆ，Ｂ，Ｕ，Ｄは、それぞれ本体１の背面から前面へ向かう前面方向Ｆ、前面から背面へ向かう背面方向Ｂ、上方向Ｕおよび下方向Ｄを表す。本実施形態において、前面方向Ｆがシート材９の排出方向である。
【００３６】
また、各図に示される方向矢印Ｒ，Ｌは、それぞれ本体１の背面側から見て右方向Ｒおよび左方向Ｌを表す。
【００３７】
画像形成装置１０の外装部材は、前面外装カバー６、背面外装カバー５、コーナー外装部材７およびカバー上外装部材８などを含む（図１，２参照）。背面外装カバー５は、本体１の背面側の２つのコーナー外装部材７の間において外装を形成する。
【００３８】
前面外装カバー６は、本体１の下部を中心にして回動可能に支持されている。前面外装カバー６は、本体１の外側へ倒されることにより、手差しトレイ６０を形成する（図１参照）。
【００３９】
コーナー外装部材７は、本体１の側面におけるコーナー部分の外装を形成する。本実施形態において、電源コネクター９１およびＬＡＮコネクター９２は、背面側のコーナー外装部材７に組み込まれている。
【００４０】
背面外装カバー５は、本体１の背面の開口５０を覆う外装部材である。背面外装カバー５は、本体１に対し開口５０を開放可能に取り付けられている。本実施形態において、背面外装カバー５が塞ぐ開口５０は、シート材９が搬送される第１搬送路３０１および第２搬送路３０２に通じる開口である（図１参照）。
【００４１】
より具体的には、背面外装カバー５は、本体１に対し外側へ回動可能に支持されている。例えば、背面外装カバー５は、本体１の下部を中心にして回動可能に支持されている。背面外装カバー５の上部には、凹状の取手５１が形成されている。
【００４２】
前面外装カバー６および背面外装カバー５各々は、不図示のロック機構によって本体１に沿って起立する状態に保持されている。例えば、前記ロック機構が、相互に嵌り合う凸部および凹部であることが考えられる。この場合、前記ロック機構における前記凸部および前記凹部の一方が、前面外装カバー６および背面外装カバー５に形成され、他方が、本体１または本体１に固定されたコーナー外装部材７など他の外装部材に形成される。
【００４３】
カバー上外装部材８は、背面外装カバー５の上方の外装を形成する部材である。電話回線コネクター９３は、カバー上外装部材８に組み込まれている。
【００４４】
ところで、画像形成装置１０において、電話回線コネクター９３は、装置の本体１における背面外装カバー５の上方に設けられている。また、電話回線コネクター９３などのコネクタが、本体１の側面における外装カバーの上方に設けられることも考えられる。
【００４５】
背面外装カバー５が本体１の外側へ回動されることにより、背面側の開口５０が開放される。図１において、開口５０を開放する状態の背面外装カバー５が仮想線で示されている。背面外装カバー５は、ジャム処理などの際に開かれる。
【００４６】
本実施形態のように、電話回線コネクター９３などのコネクターが、本体１における外装カバーの上方に設けられている場合、前記コネクターから垂れ下がる電話ケーブル９９などのケーブルが、前記外装カバーの開閉の邪魔になる。前記ケーブルが前記外装カバーに引っ掛かると、前記コネクターまたは前記ケーブルが損傷するおそれがある。
【００４７】
また、前記ケーブルが引っ掛けられるフックが、画像形成装置の外装部材における前記外装カバーの上方に設けられることが考えられる。この場合、前記ケーブルは、前記フックによって前記外装カバーの左右いずれか一方の側方まで案内される。
【００４８】
しかしながら、前記フックは、本体１から外側へ張り出しているため、作業者の邪魔になる。また、前記フックは、作業者または周辺部材との接触によって破損しやすい。
【００４９】
画像形成装置１０は、破損しにくいケーブル留め構造により、電話回線コネクター９３に接続された電話ケーブル９９が背面外装カバー５に引っ掛かることを防ぐことができる。以下、その詳細について説明する。
【００５０】
［前記ケーブル留め構造］
前記ケーブル留め構造は、カバー上外装部材８に設けられている。カバー上外装部材８は、凹部８１、溝部８２および張出部８３を有する。
【００５１】
図２，４が示すように、凹部８１は、電話回線コネクター９３が組み込まれた部分である。電話回線コネクター９３は、凹部８１の底に形成された開口８１０内に設けられている。
【００５２】
溝部８２は、第１端８２１から第２端８２２に亘って横方向に沿って形成されている。溝部８２の第１端８２１は、電話回線コネクター９３寄りの位置に存在する。溝部８２の第２端８２２は、背面外装カバー５の左右いずれか一方の側端寄りの位置に存在する。
【００５３】
本実施形態では、溝部８２の第２端８２２の位置は、本体１の背面側から見て背面外装カバー５の右の側端５ｅの外側の上方の位置である。溝部８２は、電話回線コネクター９３に接続された電話ケーブル９９が挿入される部分である。
【００５４】
張出部８３は、溝部８２の開口の下側縁部から上方へ張り出して形成された部分である。張出部８３は、少なくとも溝部８２の第１端８２１寄りの位置および第２端８２２寄りの位置に形成されている。
【００５５】
なお、溝部８２の第２端８２２の位置が、本体１の背面側から見て背面外装カバー５の左の側端の外側の上方の位置であることも考えられる。溝部８２が、電話回線コネクター９３寄りの位置から背面外装カバー５の左右いずれか一方の側端寄りの位置に亘って形成されていればよい。
【００５６】
本実施形態において、張出部８３は、第１張出部８３ａおよび第２張出部８３ｂを含む。即ち、複数の張出部８３ａ，８３ｂが溝部８２の長手方向に沿って間隔を空けて形成されている。第１張出部８３ａは、溝部８２の第１端８２１寄りの位置に形成されている。第２張出部８３ｂは、溝部８２の第２端８２２寄りの位置に形成されている。
【００５７】
張出部８３は、溝部８２内からの電話ケーブル９９の脱落を防ぐ部分である。溝部８２に挿入された電話ケーブル９９は、張出部８３に引っ掛かることによって溝部８２内に保持される。
【００５８】
図３，６が示すように、電話ケーブル９９の端部が電話回線コネクター９３に接続され、電話ケーブル９９の残りの部分の一部が、溝部８２に挿入される。電話ケーブル９９は、溝部８２および張出部８３により、電話回線コネクター９３の位置から背面外装カバー５の一方の側方まで案内される。
【００５９】
従って、溝部８２および張出部８３採用されれば、電話回線コネクター９３に接続された電話ケーブル９９が背面外装カバー５に引っ掛かることを防ぐことができる。しかも、溝部８２および張出部８３は、カバー上外装部材８から外側へ突出する部分を有さない。そのため、溝部８２および張出部８３は、破損しにくく、作業者の邪魔にならない。
【００６０】
カバー上外装部材８において、凹部８１は、溝部８２の第１端８２１に連通している。さらに、凹部８１は、溝部８２よりも深く窪んで形成されている。これにより、背面外装カバー５の上方において、電話ケーブル９９が本体１の背面から突出しない、または、本体１の背面からの電話ケーブル９９の突出高さが小さくなる。その結果、電話ケーブル９９が作業者の邪魔になりにくい。
【００６１】
図５が示すように、第１張出部８３ａにおける溝部８２の第１端８２１側の縁部が傾斜面８３１ａを形成している。傾斜面８３１ａは、第１張出部８３ａの根本側から先端側にかけて鉛直方向に対して溝部８２の第２端８２２側へ傾斜して形成されている。
【００６２】
同様に、第２張出部８３ｂにおける溝部８２の第１端８２１側の縁部も傾斜面８３１ｂを形成している。傾斜面８３１ｂも、第２張出部８３ｂの根本側から先端側にかけて鉛直方向に対して溝部８２の第２端８２２側へ傾斜して形成されている。
【００６３】
電話ケーブル９９が溝部８２内に向けて押し込まれる際に、傾斜面８３１ａ，８３１ｂが、電話ケーブル９９を、溝部８２の開口における張出部８３によって幅が狭まった部分へ案内する。そのため、電話ケーブル９９を溝部８２内に挿入する作業が容易となる。
【００６４】
また、第１張出部８３ａにおける溝部８２の第２端８２２側の縁部も傾斜面８３２ａを形成している。電話ケーブル９９が溝部８２から引き出される際に、傾斜面８３２ａが、電話ケーブル９９を、溝部８２の開口における第１張出部８３ａによって幅が狭まった部分へ案内する。そのため、電話ケーブル９９を溝部８２から引き出す作業が容易となる。
【００６５】
一方、第２張出部８３ｂにおける溝部８２の第２端８２２側の縁部は、鉛直方向に沿って形成された鉛直面８３２ｂである。そのため、電話ケーブル９９は、引っ張られても溝部８２内から脱落しにくい。鉛直面８３２ｂは、張出部８３における溝部８２の最も第２端８２２寄りの縁部である。
【００６６】
なお、第２張出部８３ｂにおける溝部８２の第２端８２２側の縁部が、根本側から先端側にかけて鉛直方向に対して溝部８２の第２端８２２側へ傾斜して形成されていることも考えられる。この場合、電話ケーブル９９は、溝部８２内からより脱落しにくい。
【００６７】
本実施形態において、第２張出部８３ｂの根本から先端までの高さｈ２は、第１張出部８３ａの根本から先端までの高さｈ１よりも高い（図５参照）。即ち、複数の張出部８３のうち、溝部８２の最も第２端８２２寄りに位置する第２張出部８３ｂの高さが、他よりも高い。そのため、電話ケーブル９９が、溝部８２内からより脱落しにくい。
【００６８】
また、第２張出部８３ｂが形成された部分における溝部８２の開口の幅Ｗ２が、第１張出部８３ａが形成された部分における溝部８２の開口の幅Ｗ１よりも大きい。即ち、溝部８２における複数の張出部８３が形成された部分のうち、背の高い第２張出部８３ｂが形成された部分の開口の幅Ｗ２が、他の部分の開口の幅Ｗ１よりも大きい。
【００６９】
従って、背の高い第２張出部８３ｂが形成された部分においても、電話ケーブル９９を溝部８２に挿入する作業および溝部８２から外す作業が容易である。
【００７０】
[応用例]
画像形成装置１０のカバー上外装部材８において、張出部８３が、溝部８２の第１端８２１寄りの位置から第２端８２２寄りの位置までに亘って一連に形成されていることも考えられる。
【００７１】
また、画像形成装置１０のカバー上外装部材８において、３つ以上の張出部８３が、溝部８２の長手方向に沿って間隔を空けて形成されていてもよい。
【００７２】
また、画像形成装置１０において、ＬＡＮコネクター９２が、電話回線コネクター９３の位置に設けられていることも考えられる。この場合、ＬＡＮコネクター９２に接続される不図示のＬＡＮケーブルが溝部８２に挿入される。
【００７３】
また、画像形成装置１０において、ＬＡＮコネクター９２および電話回線コネクター９３の両方が、背面外装カバー５の上方に設けられていることも考えられる。この場合、前記ＬＡＮケーブルおよび電話ケーブル９９の両方が溝部８２に挿入される。
【００７４】
また、画像形成装置１０において、背面外装カバー５に相当する外装カバーが、本体１の側面に設けられることが考えられる。さらに、電話回線コネクター９３などのコネクタが、側面の前記外装カバーの上方に設けられることも考えられる。この場合、溝部８２および張出部８３を有するカバー上外装部材８が、側面の前記外装カバーの上方に設けられる。
【００７５】
また、背面外装カバー５またはそれに相当する側面の外装カバーが、本体１内における消耗剤の部品に通じる開口を覆う外装部材であることも考えられる。例えば、前記消耗剤の部品は、トナーを収容するトナー容器などである。
【００７６】
なお、本発明に係る画像形成装置は、各請求項に記載された発明の範囲において、以上に示された実施形態及び応用例を自由に組み合わせること、或いは実施形態及び応用例を適宜、変形する又は一部を省略することによって構成されることも可能である。
【符号の説明】
【００７７】
１        ：本体（装置本体）
１ｘ      ：スキャナー
２        ：シート供給部
３        ：シート搬送部
４        ：現像ユニット
５        ：背面外装カバー
５ｅ      ：背面外装カバーの側端
６        ：前面外装カバー
７        ：コーナー外装部材
８        ：カバー上外装部材
９        ：シート材
１０      ：画像形成装置
２１      ：シートカセット
２２      ：第１シート送出部
２３      ：第２シート送出部
３１      ：搬送ローラー
３２      ：排出ローラー
４０      ：光走査部
４１      ：感光体
４２      ：帯電装置
４３      ：現像装置
４５      ：一次転写装置
４７      ：一次クリーニング装置
４８      ：中間転写ベルト
４９      ：定着装置
５０      ：本体の背面の開口
５１      ：取手
６０      ：手差しトレイ
８０      ：制御基板
８１      ：凹部
８２      ：溝部
８３      ：張出部
８３ａ    ：第１張出部
８３ｂ    ：第２張出部
９１      ：電源コネクター
９２      ：ＬＡＮコネクター
９３      ：電話回線コネクター
９９      ：電話ケーブル
１００    ：排出トレイ
３００    ：シート排出口
３０１    ：第１搬送路
３０２    ：第２搬送路
３０３    ：第３搬送路
４８１    ：二次転写装置
４８２    ：二次クリーニング装置
８１０    ：凹部の底の開口
８２１    ：溝部の第１端
８２２    ：溝部の第２端
【図１】
0006390561.tif 000002
【図２】
0006390561.tif 000003
【図３】
0006390561.tif 000004
【図４】
0006390561.tif 000005
【図５】
0006390561.tif 000006
【図６】
0006390561.tif 000007